(57)【要約】【課題】立体的な形状を有し側壁が薄肉化された深底凹状の容器のような形状を有する成形品であっても、樹脂による成形品を短時間で成形することができるようにする。【解決手段】金型装置の型閉工程終了前に前記金型装置のキャビティ３７内への樹脂の充填（てん）を開始し、前記型閉工程終了前に前記所定量の樹脂の充填を完了し、前記型閉工程終了後に前記金型装置の型締工程を行い成形品を成形する。【選択図】          図１
2004174714.tif 000002
【特許請求の範囲】
【請求項１】
（ａ）金型装置の型閉工程終了前に前記金型装置のキャビティ内への樹脂の充填を開始し、
（ｂ）前記型閉工程終了前に前記所定量の樹脂の充填を完了し、
（ｃ）前記型閉工程終了後に前記金型装置の型締工程を行い成形品を成形することを特徴とする樹脂成形方法。
【請求項２】
前記樹脂の充填は、射出装置のスクリュ位置又は樹脂の充填時間を制御して前記キャビティ内に所定量の樹脂を充填する請求項１に記載の樹脂成形方法。
【請求項３】
前記金型装置はゲートピンによって閉塞されるゲート孔を備え、前記ゲートピンは前記樹脂の充填完了後に前記ゲート孔を閉塞する請求項１に記載の樹脂成形方法。
【請求項４】
前記ゲートピンは、前記型締工程時に前記ゲート孔を閉塞している請求項３に記載の樹脂成形方法。
【請求項５】
前記ゲートピンは、前記ゲート孔を閉塞している時であっても、前記キャビティ内の樹脂の圧力が所定値以上になると前記ゲート孔を開放する請求項４に記載の樹脂成形方法。
【請求項６】
前記スクリュを前進させて前記所定量の樹脂を充填し、該所定量の樹脂の充填完了後に前記スクリュを後退させる請求項１〜５のいずれか１項に記載の樹脂成形方法。
【請求項７】
前記所定量は、前記キャビティの型閉状態における容積の１００〜１５０〔％〕に相当する請求項１〜６のいずれか１項に記載の樹脂成形方法。
【請求項８】
前記キャビティは、型閉状態において、前記金型装置の開閉方向に対してほぼ垂直な底部及び前記開閉方向に対して傾斜する薄肉化された側壁部を備える請求項１〜７のいずれか１項に記載の樹脂成形方法。
【請求項９】
前記所定量の樹脂の充填完了時に、前記側壁部の少なくとも一部には前記樹脂が充填されていない請求項８に記載の樹脂成形方法。
【請求項１０】
（ａ）パーティング面を備える固定金型と、
（ｂ）該固定金型のパーティング面に押し付けられて密着するパーティング面を備え、前記固定金型に対して前進する可動金型と、
（ｃ）前記パーティング面の一方に固定される基部及び突出部を備えるインサートリングと、
（ｄ）前記パーティング面の他方に形成され、前記インサートリングの突出部を収納するリング状の凹溝とを有することを特徴とする樹脂成形用金型。
【請求項１１】
前記インサートリングは、前記固定金型及び可動金型の材質よりも軟質の材質から成る請求項１０に記載の樹脂成形用金型。
【請求項１２】
前記金型に形成されたゲート孔を閉塞するゲートピンを有する請求項１０に記載の樹脂成形用金型。
【請求項１３】
請求項１〜９に記載の樹脂成形方法により成形された樹脂成形品。
【請求項１４】
射出成形機により成形された薄肉化された凹状の容器であり、肉厚が０．２〜０．３〔ｍｍ〕であることを特徴とする樹脂成形品。
【請求項１５】
（ａ）凹状の容器である樹脂成形品であって、
（ｂ）前記容器のＬ／Ｔ（Ｌ：成形品におけるゲートからの樹脂の流動長、Ｔ：成形品の肉厚）は、
（ｃ）樹脂がポリスチレンである場合１００〜４００、
（ｄ）樹脂が耐衝撃性ポリスチレンである場合１１０〜４００、
（ｅ）樹脂がポリプロピレンである場合１２０〜４００、
（ｆ）樹脂が高密度ポリエチレンである場合７０〜３００、
（ｇ）樹脂が低密度ポリエチレンである場合８０〜３００、
（ｈ）樹脂がポリエチレンテレフタレートである場合５０〜２５０であることを特徴とする樹脂成形品。
【請求項１６】
（ａ）金型装置の型閉工程終了前に、型閉状態において、前記金型装置の開閉方向に対してほぼ垂直な底部及び前記開閉方向に対して傾斜する薄肉化された側壁部を備えるキャビティ内への樹脂の充填を開始し、
（ｂ）前記型閉工程終了前に、前記側壁部の少なくとも一部には前記樹脂が充填されていない状態で、前記キャビティ内への所定量の樹脂の充填を完了し、
（ｃ）前記型閉工程終了後に、前記金型装置の型締工程を行い成形品を成形することを特徴とする樹脂成形方法。
【請求項１７】
前記金型装置はゲートピンによって閉塞されるゲート孔を備え、前記ゲートピンは前記樹脂の充填完了後に前記ゲート孔の閉塞を開始し、前記型締工程時に前記ゲート孔を閉塞する請求項１６に記載の樹脂成形方法。
【請求項１８】
前記ゲートピンは、前記ゲート孔を閉塞している時であっても、前記キャビティ内の樹脂の圧力が所定値以上になると前記ゲート孔を開放する請求項１７に記載の樹脂成形方法。
【請求項１９】
前記キャビティ内にラベルを装填して、インモールドラベル成形を行う請求項１６〜１８のいずれか１項に記載の樹脂成形方法。
【請求項２０】
（ａ）パーティング面を備える固定金型と、
（ｂ）該固定金型のパーティング面に押し付けられて密着するパーティング面を備え、前記固定金型との間に、型閉状態において、開閉方向に対してほぼ垂直な底部及び前記開閉方向に対して傾斜する薄肉化された側壁部を備えるキャビティを形成する可動金型と、
（ｃ）前記パーティング面の一方に配設されるリング状の突出部と、
（ｄ）前記パーティング面の他方に形成され、前記リング状の突出部を収納するリング状の凹溝とを有することを特徴とする樹脂成形用金型。
【請求項２１】
前記突出部は、前記パーティング面と一体的に形成される請求項２０に記載の樹脂成形用金型。
【請求項２２】
前記突出部は、前記パーティング面に着脱自在に取り付けられる請求項２０に記載の樹脂成形用金型。
【請求項２３】
前記底部にはゲート孔が形成され、前記側壁部の前記底部と反対側の端部には前記パーティング面が連接する請求項２０〜２２のいずれか１項に記載の樹脂成形用金型。
【請求項２４】
（ａ）固定金型及び可動金型によって樹脂成形品を成形するための金型装置を有し、
（ｂ）該金型装置は、前記樹脂成形品の外形を形成するキャビティを備え、
（ｃ）該キャビティは、前記固定金型と可動金型とが型閉されている状態において、前記金型装置の開閉方向に対してほぼ垂直な底部、及び、前記開閉方向に対して傾斜する薄肉化された側壁部を含むことを特徴とする樹脂成形機。
【請求項２５】
（ａ）金型装置によって樹脂を成形する樹脂成形機であって、
（ｂ）前記金型装置は、パーティング面を備える固定金型と、
（ｃ）該固定金型のパーティング面に押し付けられて密着するパーティング面を備え、前記固定金型に対して前進する可動金型と、
（ｄ）前記パーティング面の一方に配設されたリング状の突出部と、
（ｅ）前記パーティング面の他方に形成され、前記突出部を収納するリング状の凹溝とを備えることを特徴とする樹脂成形機。
【発明の詳細な説明】
【０００１】
【発明の属する技術分野】
本発明は、樹脂成形方法、樹脂成形用金型、樹脂成形品及び樹脂成形機に関するものである。
【０００２】
【従来の技術】
従来、射出成形機等の樹脂成形機においては、加熱シリンダ内において加熱され、溶融させられた樹脂を高圧で射出して金型装置のキャビティ内に充填（てん）し、該キャビティ内において樹脂を冷却し、固化させることによって成形品を成形するようになっている。そのために、前記金型装置は固定金型及び可動金型から成り、型締装置によって前記可動金型を進退させ、前記固定金型に対して接離させることによって、型開閉、すなわち、型閉、型締及び型開を行うことができるようになっている（例えば、特許文献１参照。）。
【０００３】
ここで、型閉とは、金型を開いた状態から金型のパーティング面が接触するまでの状態で、型締とは、金型のパーティング面が接触した状態から金型に締付力を付与している状態をいう。
【０００４】
そして、成形品の変形を防止したり、樹脂の分子の配向を改善したり、残留応力を減少させたりするために、キャビティがわずかに拡大された状態で樹脂を充填し、その後、型締を行ってキャビティ内の樹脂を圧縮する射出圧縮成形方法が提案されている。該射出圧縮成形方法としては、大別してローリンクス法とマイクロモールド法とが知られている。
【０００５】
まず、ローリンクス法は、英国の金型メーカであるローリンクス社が１９６０年代に開発した方法であり、さらに、金型装置のパーティング面を開くことなくキャビティ内の樹脂を加圧し圧縮する方法と、金型装置のパーティング面を開いてキャビティ内の樹脂を加圧し圧縮する方法とに分かれている。そして、金型装置のパーティング面を開くことのない方法においては、溶融樹脂を射出してキャビティ内に充填した後に、拡大したキャビティを収縮させて樹脂を加圧し圧縮する。この場合、パーティング面の隙（すき）間に樹脂が漏れ出してバリが発生することを防止するために、油圧シリンダ装置やスプリングによって、パーティング面を互いに押し付け合うようになっている。
【０００６】
一方、金型装置のパーティング面を開いてキャビティ内の樹脂を加圧し圧縮する方法においては、可動金型を固定金型に対してわずかに後退させ、パーティング面がわずかに開いた状態で溶融樹脂を射出してキャビティ内に充填し、その後、可動金型を固定金型に対して前進させ、型閉及び型締を行って、キャビティ内の樹脂を加圧し圧縮する。
【０００７】
図２は従来の成形方法において溶融樹脂をキャビティ内に充填する状態を示す図、図３は従来の成形方法においてキャビティ内の樹脂を加圧し圧縮する状態を示す図である。
【０００８】
図において１０１は図示されない固定プラテンに取り付けられた固定金型、１０２は可動金型であり図示されない可動プラテンに取り付けられ、前記固定金型１０１に対して進退させられるようになっている。そして、該固定金型１０１と可動金型１０２との間にはキャビティ１０３が形成され、溶融樹脂１０６が充填されるようになっている。また、固定金型１０１には前記キャビティ１０３に連通するランナ１０４が形成され、図示されない射出装置の射出ノズルから射出された溶融樹脂１０６が、前記ランナ１０４を通ってキャビティ１０３内に充填される。
【０００９】
そして、溶融樹脂１０６が射出装置の射出ノズルから射出され、ランナ１０４を通ってキャビティ１０３内に充填される時には、図２に示されるように、可動金型１０２が固定金型１０１に対してわずかに後退させられた位置にあり、金型装置のパーティング面が寸法ａだけ開いた状態となっている。そのため、キャビティ１０３はわずかに拡大され、該キャビティ１０３内に充填された溶融樹脂１０６は圧力がかかっていない状態となっている。なお、開いた状態のパーティング面から溶融樹脂１０６が漏れ出してバリが発生してしまうことのないように、前記固定金型１０１と可動金型１０２とがインロウ結合するように金型面が形成された、いわゆる、押切タイプの金型装置が採用される。
【００１０】
続いて、図示されない型締装置が作動して可動金型１０２を固定金型１０１に対して前進させ、拡大したキャビティ１０３を収縮させる。これにより、図３に示されるように、型閉及び型締が行なわれ、キャビティ１０３内の溶融樹脂１０６が加圧され圧縮される。
【００１１】
また、マイクロモールド法においては、溶融樹脂をキャビティ内に射出する前に圧縮量を見込んで、あらかじめキャビティ容積を拡大しておき、溶融樹脂を射出してキャビティ内に充填した後、適切なタイミングで油圧シリンダ装置等によって可動金型や金型のコアを前進させ、拡大したキャビティを収縮させて溶融樹脂を加圧し圧縮する。
【００１２】
このように、ローリンクス法、マイクロモールド法等の射出圧縮成形法を使用することによって、溶融樹脂の内部における圧力分布が均等になり、樹脂の分子の配向が改善され、金型表面の転写性が向上し、樹脂のひけが防止され、成形品の残留応力が低減し、変形が防止される。そのため、射出圧縮成形方法は、精密部品、光学レンズ、導光板、コンパクトディスク、光ディスク、レーザディスク等の高い精度を要求される成形品の成形に使用される。
【００１３】
【特許文献１】
特開平６−２９３０４３号公報
【００１４】
【発明が解決しようとする課題】
しかしながら、前記従来の射出圧縮成形方法は、ディスクのような平面的な形状を有する成形品の成形に適用するために開発されたものであり、底の深い容器のように立体的な形状を有する成形品の成形に使用することができなかった。
【００１５】
近年においては、樹脂製容器の重量低減に対する要求が厳しくなり、樹脂製容器の肉厚が薄くなる傾向にあるが、コップのように開口の径寸法に対して高さ寸法が大きい形状を有する底の深い容器の場合、側壁を薄肉化すると、キャビティ内における樹脂の流路が狭くなるので、射出された溶融樹脂がキャビティ全体に十分に行き渡らず、不良品が発生してしまう。特に、樹脂の粘性が高い場合、すなわち、高粘度の樹脂を使用した場合には、前記従来の射出圧縮成形方法を使用しても、溶融樹脂の流動性が低いために、前記薄肉化された側壁に対応するキャビティの部分を溶融樹脂が通過しないので、底の深い容器の成形が不可能となってしまう。
【００１６】
本発明は、前記従来の問題点を解決して、立体的な形状を有し側壁が薄肉化された深底凹状の容器のような形状を有する成形品であっても、樹脂による成形品を短時間で成形することができる樹脂成形方法、樹脂成形用金型、樹脂成形品及び樹脂成形機を提供することを目的とする。
【００１７】
【課題を解決するための手段】
そのために、本発明の樹脂成形方法においては、金型装置の型閉工程終了前に前記金型装置のキャビティ内への樹脂の充填を開始し、前記型閉工程終了前に前記所定量の樹脂の充填を完了し、前記型閉工程終了後に前記金型装置の型締工程を行い成形品を成形する。
【００１８】
本発明の他の樹脂成形方法においては、さらに、前記樹脂の充填は、射出装置のスクリュ位置又は樹脂の充填時間を制御して前記キャビティ内に所定量の樹脂を充填する。
【００１９】
本発明の更に他の樹脂成形方法においては、さらに、前記金型装置はゲートピンによって閉塞（そく）されるゲート孔を備え、前記ゲートピンは前記樹脂の充填完了後に前記ゲート孔を閉塞する。
【００２０】
本発明の更に他の樹脂成形方法においては、さらに、前記ゲートピンは、前記型締工程時に前記ゲート孔を閉塞している。
【００２１】
本発明の更に他の樹脂成形方法においては、さらに、前記ゲートピンは、前記ゲート孔を閉塞している時であっても、前記キャビティ内の樹脂の圧力が所定値以上になると前記ゲート孔を開放する。
【００２２】
本発明の更に他の樹脂成形方法においては、さらに、前記スクリュを前進させて前記所定量の樹脂を充填し、該所定量の樹脂の充填完了後に前記スクリュを後退させる。
【００２３】
本発明の更に他の樹脂成形方法においては、さらに、前記所定量は、前記キャビティの型閉状態における容積の１００〜１５０〔％〕に相当する。
【００２４】
本発明の更に他の樹脂成形方法においては、さらに、前記キャビティは、型閉状態において、前記金型装置の開閉方向に対してほぼ垂直な底部及び前記開閉方向に対して傾斜する薄肉化された側壁部を備える。
【００２５】
本発明の更に他の樹脂成形方法においては、さらに、前記所定量の樹脂の充填完了時に、前記側壁部の少なくとも一部には前記樹脂が充填されていない。
【００２６】
本発明の樹脂成形用金型においては、パーティング面を備える固定金型と、該固定金型のパーティング面に押し付けられて密着するパーティング面を備え、前記固定金型に対して前進する可動金型と、前記パーティング面の一方に固定される基部及び突出部を備えるインサートリングと、前記パーティング面の他方に形成され、前記インサートリングの突出部を収納するリング状の凹溝とを有する。
【００２７】
本発明の他の樹脂成形用金型においては、さらに、前記インサートリングは、前記固定金型及び可動金型の材質よりも軟質の材質から成る。
【００２８】
本発明の更に他の樹脂成形用金型においては、さらに、前記金型に形成されたゲート孔を閉塞するゲートピンを有する。
【００２９】
本発明の樹脂成形品においては、請求項１〜９に記載の樹脂成形方法により成形された。
【００３０】
本発明の他の樹脂成形品においては、射出成形機により成形された薄肉化された凹状の容器であり、肉厚が０．２〜０．３〔ｍｍ〕である。
【００３１】
本発明の更に他の樹脂成形品においては、凹状の容器である樹脂成形品であって、前記容器のＬ／Ｔ（Ｌ：成形品におけるゲートからの樹脂の流動長、Ｔ：成形品の肉厚）は、樹脂がポリスチレンである場合１００〜４００、樹脂が耐衝撃性ポリスチレンである場合１１０〜４００、樹脂がポリプロピレンである場合１２０〜４００、樹脂が高密度ポリエチレンである場合７０〜３００、樹脂が低密度ポリエチレンである場合８０〜３００、樹脂がポリエチレンテレフタレートである場合５０〜２５０である。
【００３２】
本発明の更に他の樹脂成形方法においては、金型装置の型閉工程終了前に、型閉状態において、前記金型装置の開閉方向に対してほぼ垂直な底部及び前記開閉方向に対して傾斜する薄肉化された側壁部を備えるキャビティ内への樹脂の充填を開始し、前記型閉工程終了前に、前記側壁部の少なくとも一部には前記樹脂が充填されていない状態で、前記キャビティ内への所定量の樹脂の充填を完了し、前記型閉工程終了後に、前記金型装置の型締工程を行い成形品を成形する。
【００３３】
本発明の更に他の樹脂成形方法においては、さらに、前記金型装置はゲートピンによって閉塞されるゲート孔を備え、前記ゲートピンは前記樹脂の充填完了後に前記ゲート孔の閉塞を開始し、前記型締工程時に前記ゲート孔を閉塞する。
【００３４】
本発明の更に他の樹脂成形方法においては、さらに、前記ゲートピンは、前記ゲート孔を閉塞している時であっても、前記キャビティ内の樹脂の圧力が所定値以上になると前記ゲート孔を開放する。
【００３５】
本発明の更に他の樹脂成形方法においては、さらに、前記キャビティ内にラベルを装填して、インモールドラベル成形を行う。
【００３６】
本発明の更に他の樹脂成形用金型においては、パーティング面を備える固定金型と、該固定金型のパーティング面に押し付けられて密着するパーティング面を備え、前記固定金型との間に、型閉状態において、開閉方向に対してほぼ垂直な底部及び前記開閉方向に対して傾斜する薄肉化された側壁部を備えるキャビティを形成する可動金型と、前記パーティング面の一方に配設されるリング状の突出部と、前記パーティング面の他方に形成され、前記リング状の突出部を収納するリング状の凹溝とを有する。
【００３７】
本発明の更に他の樹脂成形用金型においては、さらに、前記突出部は、前記パーティング面と一体的に形成される。
【００３８】
本発明の更に他の樹脂成形用金型においては、さらに、前記突出部は、前記パーティング面に着脱自在に取り付けられる。
【００３９】
本発明の更に他の樹脂成形用金型においては、さらに、前記底部にはゲート孔が形成され、前記側壁部の前記底部と反対側の端部には前記パーティング面が連接する。
【００４０】
本発明の樹脂成形機においては、固定金型及び可動金型によって樹脂成形品を成形するための金型装置を有し、該金型装置は、前記樹脂成形品の外形を形成するキャビティを備え、該キャビティは、前記固定金型と可動金型とが型閉されている状態において、前記金型装置の開閉方向に対してほぼ垂直な底部、及び、前記開閉方向に対して傾斜する薄肉化された側壁部を含む。
【００４１】
本発明の他の樹脂成形機においては、金型装置によって樹脂を成形する樹脂成形機であって、前記金型装置は、パーティング面を備える固定金型と、該固定金型のパーティング面に押し付けられて密着するパーティング面を備え、前記固定金型に対して前進する可動金型と、前記パーティング面の一方に配設されたリング状の突出部と、前記パーティング面の他方に形成され、前記突出部を収納するリング状の凹溝とを備える。
【００４２】
【発明の実施の形態】
以下、本発明の実施の形態について図面を参照しながら詳細に説明する。なお、本発明の方法は、各種の装置や用途に適用することができるものであるが、本実施の形態においては、説明の都合上、射出成形機に適用した場合について説明する。
【００４３】
図４は本発明の第１の実施の形態における射出成形機の構成を示す概略図である。
【００４４】
図において、３０は射出装置であり、加熱シリンダ３１、該加熱シリンダ３１の前端に配設された射出ノズル３２、前記加熱シリンダ３１の内部に配設されたスクリュ３３、及び、前記加熱シリンダ３１に取り付けられた材料供給ホッパ３４を有する。ここで、前記スクリュ３３は、図示されない駆動手段によって、前記加熱シリンダ３１の内部において、回転させられ、かつ、進退（図における左右方向に移動）させられる。
【００４５】
ここで、射出成形機においては、加熱シリンダ３１内において加熱され、溶融させられた樹脂を高圧で射出して後述される金型装置のキャビティ３７内に充填し、該キャビティ３７内において樹脂を冷却し、固化させることによって成形品を成形するようになっている。この場合、前記スクリュ３３の進退は  図示されない制御装置によって制御されるが、本実施の形態においては、射出される樹脂又はキャビティ３７内に充填される樹脂の圧力、すなわち、樹脂の充填圧が所定値となるようにスクリュ３３の進退を制御する複雑な圧力制御でなく、樹脂の充填圧とは無関係に進退するスクリュ３３の位置を制御する簡単な位置制御が行われる。これにより、所定量の樹脂がキャビティ３７内に充填される。ここで、前記所定量は、例えば、キャビティ３７の型閉状態における容積の約１００〜１５０〔％〕、望ましくは、約１２０〔％〕に相当する量である。なお、前記位置制御に代えて充填開始からの充填時間を制御する方法であってもよい。
【００４６】
また、前記金型装置は固定金型２４及び可動金型２３から成り、型締装置によって前記可動金型２３を進退させ、前記固定金型２４に対して接離させることによって、型開閉、すなわち、型閉、型締及び型開を行うことができるようになっている。そして、前記型締装置は、固定金型２４を保持する固定プラテン２２及び可動金型２３を保持する可動プラテン２１を有し、該可動プラテン２１を進退させる油圧シリンダ装置１１を駆動することによって作動させられる。
【００４７】
そして、前記射出装置３０に対向して固定金型支持装置としての固定プラテン２２が配設される。該固定プラテン２２は、図示されない射出成形機のフレームに固定され、金型取付面に固定金型２４が取り付けられている。さらに、前記固定プラテン２２には、複数、例えば、四本のタイバー２７の一端が固定されている。
【００４８】
また、可動金型支持装置としての可動プラテン２１は前記固定プラテン２２と対向して配設され、前記タイバー２７に沿って進退自在に配設される。さらに、前記可動プラテン２１における前記固定プラテン２２と対向する金型取付面に前記可動金型２３が取り付けられる。
【００４９】
そして、前記可動プラテン２１の背面に対向して駆動源支持部材２６が、前記タイバー２７に位置調整可能に取り付けられる。ここで、前記駆動源支持部材２６の背面（図における左側面）には、射出成形機の型締装置の駆動源として、油圧シリンダ装置１１が取り付けられている。この場合、該油圧シリンダ装置１１は、ヘッド側油圧室１１ａ、ロッド側油圧室１１ｂ、ピストン１１ｃ及びロッド１１ｄを有する。ここで、前記ヘッド側油圧室１１ａ及びロッド側油圧室１１ｂは、前記ピストン１１ｃにおけるロッド１１ｄの反対側及びロッド１１ｄの側にそれぞれ配設される。また、前記ロッド１１ｄは、駆動源支持部材２６に形成された貫通孔に挿入され、その端部が前記可動プラテン２１に接続されている。
【００５０】
なお、本実施の形態において、型締装置及び該型締装置の駆動源はいかなるものであってもよく、例えば、型締装置は、図４に示されるような直圧方式のものであってもよいし、トグルリンクを利用したトグル方式のものであってもよいし、リンク機構とシリンダ装置とを組み合わせた複合方式のものであってもよい。また、駆動源も図４に示されるような油圧シリンダ装置であってもよいし、電動モータとボールねじとを組み合わせたものであってもよい。
【００５１】
図５は本発明の第１の実施の形態における成形品の斜視図、図６は本発明の第１の実施の形態における成形品の断面図である。
【００５２】
本実施の形態において、成形される成形品はいかなる形状のものであってもよいが、樹脂成形方法、樹脂成形用金型及び樹脂成形機は、図５及び６に示されるように、立体的な形状を有し側壁が薄肉化された深底凹状の容器のような形状を有する成形品４１の成形に適用することができる点に特徴を有するものである。したがって、ここでは、立体的な形状を有し側壁が薄肉化された深底凹状の容器のような形状を有する成形品を成形する場合について説明する。
【００５３】
なお、立体的な形状を有し側壁が薄肉化された深底凹状の容器のような形状を有する成形品としては、ゼリー、プリン等の食料品の容器、カップ、コンテナ、容器のキャップ、中空成形（ブロー成形）に使用される予備成形品（パリソン又はプリフォーム）等である。そして、本実施の形態において成形される成形品は、例えば、深さが１０〔ｍｍ〕以上であり、側壁の厚さが０．２〜３〔ｍｍ〕程度のものであり、通常は、１〔ｍｍ〕前後のものである。
【００５４】
また、本実施の形態において成形される成形品の材質もいかなる材質であってもよいが、本実施の形態における樹脂成形方法、樹脂成形用金型及び樹脂成形機は、高粘度の樹脂による成形品を短時間に高精度で成形することができる点に特徴を有するものである。したがって、ここでは、高粘度の樹脂による成形品を成形する場合について説明する。なお、高粘度の樹脂とは、熱可塑性樹脂の中で溶融粘度が３６００ポアズ以上、又は、メルトインデックスが３０以下、又は、数平均分子量が２４０００以上の樹脂であり、例えば、ＰＥＴ（ポリエチレンテレフタレート）、ＰＣ（ポリカーボネイト）、ＰＭＭＡ（ポリメタクリル酸メチル）、ＨＤＰＥ（高密度ポリエチレン）、ＡＳ（スチレン／アクリロニトリル）等である。
【００５５】
図１は本発明の第１の実施の形態における金型装置の構成を示す断面図である。
【００５６】
図において、１２は可動プラテン２１の金型取付面に取り付けられた可動金型２３の金型コア、１３は該金型コア１２を取り付けるためのコア押板、及び、１４は該コア押板１３に取り付けられたストリッパプレートである。また、１５は固定プラテン２２の金型取付面に取り付けられた固定金型２４のキャビティ型板であり、１６は該キャビティ型板１５の内部に嵌（は）め込まれたゲートブロックである。そして、図に示されるように、型閉した状態において、前記金型コア１２及びストリッパプレート１４と、キャビティ型板１５及びゲートブロック１６との間に前記成形品４１の形状を有するキャビティ３７が形成される。
【００５７】
また、前記固定プラテン２２には、加熱シリンダ３１の前端に配設された射出ノズル３２（図４）から射出された樹脂の流通するスプルー等の樹脂流路２８が形成され、ゲートブロック１６には、前記キャビティ３７の内部と樹脂流路２８とを連通するゲート孔３９が形成されている。これにより、前記射出ノズル３２から射出された溶融樹脂がキャビティ３７内に充填されるようになっている。なお、前記樹脂流路２８はホットランナである。また、加熱装置を備えているホットランナであってもよい。
【００５８】
ここで、前記ストリッパプレート１４とキャビティ型板１５とが互いに接触する面、すなわち、可動金型２３及び固定金型２４のパーティング面には、インロウ結合するように、凹凸が形成されている。これにより、キャビティ３７内に充填された溶融樹脂が前記パーティング面の隙間から漏れ出してバリが発生してしまうことが防止される。
【００５９】
さらに、キャビティ型板１５のパーティング面には、インサートリング１７が、ボルト、皿ねじ等の固定手段によって着脱自在に固定されている。そして、前記インサートリング１７は、キャビティ型板１５のパーティング面に固定される基部と前記ストリッパプレート１４のパーティング面に向かって突出する突出部とから成り、断面Ｌ字形状を有している。なお、前記キャビティ型板１５のパーティング面には、図に示されるように、溝が形成され、該溝に前記インサートリング１７の基部が収納されるようになっていることが望ましい。
【００６０】
また、前記ストリッパプレート１４のパーティング面には、リング状の凹溝であるインサートリング収納溝１８が形成され、図に示されるように、該インサートリング収納溝１８に前記インサートリング１７の突出部が嵌（かん）合するようになっている。そして、前記インサートリング１７及びインサートリング収納溝１８は、前記可動金型２３及び固定金型２４のパーティング面に形成された凹凸と同様に、キャビティ３７内に充填された溶融樹脂が前記パーティング面の隙間から漏れ出してバリが発生してしまうことを防止する。
【００６１】
なお、前記ストリッパプレート１４のパーティング面にインサートリング１７を固定し、キャビティ型板１５のパーティング面にインサートリング収納溝１８を形成するようにしてもよい。
【００６２】
ここで、前記インサートリング１７は、ストリッパプレート１４及びキャビティ型板１５の材質よりも軟質の材質から成ることが望ましい。この場合、金型装置を長期間に亘り使用すると、前記ストリッパプレート１４及びキャビティ型板１５は摩耗せず、専らインサートリング１７が摩耗することとなるが、該インサートリング１７は、ボルト、皿ねじ等の固定手段によって着脱自在に固定されているので、容易に交換することができる。
【００６３】
そして、前記金型コア１２及びコア押板１３の内部には、一端がキャビティ３７に連通し、他端がコア押板１３の外壁に連通する加圧流体流路として機能するエジェクト用流路３５が形成される。該エジェクト用流路３５の前記他端は、コンプレッサ、アキュムレータ等の図示されない加圧流体供給源に接続され、該加圧流体供給源から供給される加圧空気等の加圧流体が、キャビティ３７内に供給されるようになっている。これにより、型開の際に成形品４１が金型コア１２に付着した場合であっても、前記エジェクト用流路３５を通して加圧流体を供給することによって、前記成形品４１を金型コア１２から取り外すことができる。
【００６４】
また、前記キャビティ型板１５及びゲートブロック１６の内部には、前記エジェクト用流路３５と同様に加圧流体流路として機能するベンチレーション用流路３６が形成されている。そして、前記加圧流体供給源から供給される加圧空気等の加圧流体が、ベンチレーション用流路３６を通ってキャビティ３７内に供給されるようになっているので、型開の際に成形品４１がキャビティ型板１５に付着した場合であっても、前記ベンチレーション用流路３６を通して加圧流体を供給することによって、前記成形品４１をキャビティ型板１５から取り外すことができる。
【００６５】
さらに、図１においては、前記樹脂流路２８にゲートピンとしてのバルブゲートピン３８が進入した状態が示されている。ここで、該バルブゲートピン３８は、その基部が固定プラテン２２の図示されない支持部材に取り付けられている駆動機構としての空圧シリンダ装置７３のピストン７２に取り付けられ、金型装置の開閉方向、すなわち、図１における横方向に移動させられる。ここで、前記空圧シリンダ装置７３は、ピストン７２の両側にゲートピン側圧力室７３ａ及び反ゲートピン側圧力室７３ｂを備え、ゲートピン側管路７４ａ及び反ゲートピン側管路７４ｂを介して、前記ゲートピン側圧力室７３ａ及び反ゲートピン側圧力室７３ｂに供給される加圧流体としての加圧空気によって作動する。なお、該加圧空気は加圧流体供給源７８から、切替弁７７を介して、ゲートピン側圧力室７３ａ及び反ゲートピン側圧力室７３ｂに選択的に供給される。また、前記加圧流体供給源７８は、加圧空気に代えて加圧油等の他の加圧流体を供給するものであってもよい。さらに、前記加圧流体供給源７８は、エジェクト用流路３５に加圧流体を供給する加圧流体供給源と共通のものであってもよい。
【００６６】
なお、図１に示される状態においては、バルブゲートピン３８の先端がゲート孔３９内に進入して該ゲート孔３９を閉塞し、空圧シリンダ装置７３は所定の力でバルブゲートピン３８をゲート孔３９の方向に押し付け続ける保圧状態となっている。一方、バルブゲートピン３８の先端は、キャビティ３７内の樹脂の圧力によって、前記バルブゲートピン３８を空圧シリンダ装置７３の方向に押し付ける力を受けている。そして、前記反ゲートピン側管路７４ｂにはシーケンス弁７５及び逆止弁７６が接続されており、キャビティ３７内の樹脂の圧力が所定値以上となり、ピストン７２を介して反ゲートピン側圧力室７３ｂ内の圧力が所定値以上となるとシーケンス弁７５を開放する。これにより、ピストン７２が移動し、バルブゲートピン３８が空圧シリンダ装置７３の方向に移動してゲート孔３９を開放する。
【００６７】
すなわち、キャビティ３７内の樹脂は、圧力が所定値以上になると、バルブゲートピン３８をゲート孔３９の方向に押し付ける力に打ち勝って、バルブゲートピン３８を空圧シリンダ装置７３の方向に移動させる。これにより、バルブゲートピン３８がゲート孔３９を開放するので、樹脂がキャビティ３７から樹脂流路２８に漏れ出し、キャビティ３７内の樹脂の圧力が低下する。そして、該樹脂の圧力が所定値未満になると、バルブゲートピン３８をゲート孔３９の方向に押し付ける力が樹脂の圧力に打ち勝つので、バルブゲートピン３８の先端がゲート孔３９を再び閉塞する。このように、前記バルブゲートピン３８は、キャビティ３７内の樹脂の圧力を所定値未満に維持する定圧弁、又は、リリーフ弁として機能する。
【００６８】
しかし、キャビティ３７内の樹脂の圧力が所定値以上にならない限り、バルブゲートピン３８の先端はゲート孔３９内に進入して該ゲート孔３９を閉塞した状態を維持する。そのため、キャビティ３７内に充填された溶融樹脂は、加圧され圧縮されても、前記ゲート孔３９から漏れ出すことがない。
【００６９】
次に、前記構成の成形機の動作について説明する。
【００７０】
図７は本発明の第１の実施の形態における金型装置の断面図であり型開された状態を示す第１の図、図８は本発明の第１の実施の形態における金型装置の断面図であり溶融樹脂が充填される状態を示す図、図９は本発明の第１の実施の形態における金型装置の断面図であり型閉された状態を示す図、図１０は本発明の第１の実施の形態における金型装置の型閉工程の動作を示す図、図１１は本発明の第１の実施の形態における金型装置の断面図であり型開された状態を示す第２の図、図１２は本発明の第１の実施の形態における金型装置の断面図であり成形品を取り出す状態を示す第１の図、図１３は本発明の第１の実施の形態における金型装置の断面図であり成形品を取り出す状態を示す第２の図である。
【００７１】
まず、成形を開始する前には、油圧シリンダ装置１１のピストン１１ｃ及びロッド１１ｄが後退（図４における左方向に移動）した状態になっているので、金型装置は、図７に示されるように、型開された状態になっている。また、バルブゲートピン３８の先端がゲート孔３９内に進入して該ゲート孔３９を閉塞した状態になっている。
【００７２】
続いて、型閉工程が開始されると、前記油圧シリンダ装置１１が駆動してピストン１１ｃ及びロッド１１ｄが前進（図４における右方向に移動）し、可動プラテン２１が前進させられる。これにより、可動金型２３が固定金型２４に接近する。そして、図８に示されるように、ストリッパプレート１４のパーティング面とキャビティ型板１５のパーティング面との間隔が寸法ｂになった時点で、前記油圧シリンダ装置１１が停止し、型閉工程が一時中断される。ここで、前記寸法ｂは、樹脂の圧縮量であり、成形品４１の側壁の肉厚の３〜１００倍程度であり、通常は、１〜１５〔ｍｍ〕程度の寸法である。なお、前記圧縮量は、成形品４１の側壁の肉厚及び樹脂としての溶融樹脂４２の粘度に基づいて決定される。ここで、前記成形品４１の肉厚が１．５〜３．０〔ｍｍ〕の場合、前記圧縮量を３〜１０倍とし、前記成形品４１の肉厚が０．２〜１．５〔ｍｍ〕の場合、前記圧縮量を１０〜１００倍とすることが望ましい。
【００７３】
そして、図８に示されるように、ストリッパプレート１４のパーティング面とキャビティ型板１５のパーティング面とが開いた状態で、バルブゲートピン３８が空圧シリンダ装置７３の方向に移動し、すなわち、後退し、バルブゲートピン３８がゲート孔３９を開放する。続いて、加熱シリンダ３１の前端に配設された射出ノズル３２から射出された溶融樹脂４２が、樹脂流路２８を通って型開状態における金型コア１２とゲートブロック１６との間のキャビティ３７内に充填される。そして、所定量の溶融樹脂４２がキャビティ３７内に充填されると、バルブゲートピン３８が前進して、該バルブゲートピン３８の先端がゲート孔３９に進入して該ゲート孔３９を閉塞する。
【００７４】
この場合、金型装置の開閉方向に対してほぼ垂直な底部のすべてには溶融樹脂４２が充填されるが、金型装置の開閉方向に対して傾斜する側壁部のゲート孔３９から離れた部分には溶融樹脂４２が充填されていない。すなわち、本実施の形態において、所定量の溶融樹脂４２の充填完了時に、前記側壁部の少なくとも一部には溶融樹脂４２が充填されていないようになっている。
【００７５】
ここで、図８に示されるように前記底部の容積が比較的大きいので、前記溶融樹脂４２は、金型コア１２とゲートブロック１６との間のキャビティ３７内において、主として前記底部に留まっている。また、型閉工程が一時中断される時間は極めて短くなっている。そのため、型閉工程が一時中断されている間、ストリッパプレート１４のパーティング面とキャビティ型板１５のパーティング面との間から外部に漏れ出すようなことがない。なお、型閉工程が一時中断される時間をできる限り短くするために、溶融樹脂４２の充填速度をできる限り高くすることが望ましい。また、前記型閉工程での一時中断をなくしても良い。これにより、１ショットの成形時間を短縮することができ、成形機のスループットを向上させることができる。
【００７６】
続いて、前記油圧シリンダ装置１１が駆動を再開して可動金型２３が固定金型２４に向けて前進し、型閉工程が再開される。なお、前記溶融樹脂４２の充填は、再開された型閉工程中に継続されていてもよい。また、再開された型閉工程は、溶融樹脂４２を圧縮するコンプレッション工程である。これにより、溶融樹脂４２の充填速度を高くすることができない場合であっても、１ショットの成形時間を短縮することができ、成形機のスループットを向上させることができる。
【００７７】
そして、型閉が行われることによって、金型コア１２とゲートブロック１６との間のキャビティ３７内において、主として前記底部に留まっていた溶融樹脂４２は、該キャビティ３７が狭められるので、加圧されてキャビティ３７内を図における左方へ移動し、前記側壁部のゲート孔３９から離れた部分にも充填され、該キャビティ３７の全体に行き渡る。この場合、型閉によって、インサートリング１７の突出部がストリッパプレート１４のパーティング面に形成されたインサートリング収納溝１８に嵌合するので、前記溶融樹脂４２は、インサートリング１７によって遮られ、可動金型２３及び固定金型２４のパーティング面の隙間から漏れ出すことがない。
【００７８】
続いて、型閉が終了した後も、前記油圧シリンダ装置１１によって可動金型２３が固定金型２４に押し付けられ、型締が行われる。なお、型締工程においては、ゲートブロック１６に形成されたゲート孔３９がバルブゲートピン３８によって塞（ふさ）がれている。このように、溶融樹脂４２は、型締工程において圧縮されるので、キャビティ３７の全体に万遍なく行き渡るだけでなく、内部における圧力分布が均等になり、樹脂の分子の配向が改善され、金型表面の転写性が向上し、樹脂のひけが防止され、残留応力が低減し、変形が防止される。
【００７９】
ここで、可動金型２３が固定金型２４に向けて前進する型閉工程において、金型装置の開閉方向に対して傾斜する側壁部での溶融樹脂４２の流れについて説明する。図１０（ａ）には図９と同様の図が示され、図１０（ｂ）には図１０（ａ）における円Ａで示される側壁部の部分が拡大されて示されている。型閉工程においては可動金型２３が固定金型２４に接近するので、金型コア１２の表面とキャビティ型板１５の表面とが相対的に接近する。
【００８０】
この場合、型閉工程の初期の段階において金型コア１２の表面は１２ａ−１で示される位置にある。なお、キャビティ型板１５の表面の位置は１５ａで示されている。なお、前記側壁部の金型装置の開閉方向に対する傾斜角はθである。また、型閉工程終了時において金型コア１２の表面は１２ａ−２で示される位置にまで移動する。これにより、型閉工程終了時における型コア１２の表面とキャビティ型板１５の表面との間隔Ｔよりも、型閉工程の初期の段階における型コア１２の表面とキャビティ型板１５の表面との間隔のほうがΔＴだけ広いことが分かる。なお、ΔＴは型閉のストロークＬにｓｉｎθを乗じた値である。例えば、θが４度である場合、Ｌが３〔ｍｍ〕であるとΔＴは０．２〔ｍｍ〕、Ｌが６〔ｍｍ〕であるとΔＴは０．４〔ｍｍ〕、Ｌが１０〔ｍｍ〕であるとΔＴは０．７〔ｍｍ〕、Ｌが１５〔ｍｍ〕であるとΔＴは１〔ｍｍ〕となる。
【００８１】
本実施の形態においては、前述されたように型閉工程終了前にキャビティ３７内への所定量の樹脂の充填を完了するようになっているので、前記側壁部における型コア１２の表面とキャビティ型板１５の表面との間隔が型閉工程終了時の間隔ＴよりもΔＴだけ広い時点で溶融樹脂４２が流動することが分かる。そのため、側壁部が金型装置の開閉方向に対して傾斜している場合、前記側壁部における型コア１２の表面とキャビティ型板１５の表面との間隔が狭くても、溶融樹脂４２の流動が前記間隔が広い際に行われるので、溶融樹脂４２はスムーズに流動し、側壁部の全体に充填される。したがって、図８に示されるように、キャビティ３７内への所定量の樹脂の充填が完了した時点で、前記側壁部のゲート孔３９から離れた部分に溶融樹脂４２が充填されていなくても、型閉工程終了時には、前記側壁部のゲート孔３９から離れた部分にも図９に示されるように、溶融樹脂４２が充填される。
【００８２】
このように、側壁部が金型装置の開閉方向に対して傾斜しているので、くさび効果が発生して、溶融樹脂４２がキャビティ３７の全体に万遍なく行き渡る。そのため、内部における圧力分布が均等になり、樹脂の分子の配向が改善され、樹脂の光学特性が向上し、金型表面の転写性が向上し、ウェルドラインが低減し、樹脂のひけが防止され、残留応力が低減し、変形が防止される。
【００８３】
続いて、前記溶融樹脂４２がある程度冷却されて固化し、成形品４１が形成されると、型開が行われ、図１１に示されるように、可動金型２３と固定金型２４とが開いた状態となる。なお、型開が行われる直前には、ベンチレーション用流路３６から加圧流体がキャビティ３７内に供給される。
【００８４】
続いて、成形品４１の取り出しが行われるが、図１１に示されるように、前記成形品４１が金型コア１２の外面に付着している場合、ストリッパプレート１４が金型コア１２に対して相対的に前進させられ、また、エジェクト用流路３５から加圧流体がキャビティ３７内に供給される。これにより、図１２に示されるように、成形品４１は金型コア１２から離れて落下する。なお、落下することにより、成形品４１が損傷する恐れがある場合には、図示されない成形品取り出し機を使用して、成形品４１を落下させることなく、金型コア１２から取り外すこともできる。
【００８５】
また、図１３に示されるように、前記成形品４１がキャビティ型板１５及びゲートブロック１６の内面に付着している場合、ベンチレーション用流路３６から加圧流体がキャビティ３７内に供給される。これにより、成形品４１は前記キャビティ型板１５及びゲートブロック１６の内面から離れて落下する。なお、図示されない成形品取り出し機を使用して、成形品４１を落下させることなく、キャビティ型板１５及びゲートブロック１６の内面から取り出すこともできる。
【００８６】
次に、成形機の動作シーケンスについて説明する。
【００８７】
図１４は本発明の第１の実施の形態における成形機の第１の動作シーケンスを示す図、図１５は本発明の第１の実施の形態における成形機の第２の動作シーケンスを示す図、図１６は本発明の第１の実施の形態における成形機の第３の動作シーケンスを示す図である。
【００８８】
本実施の形態において、成形機の型締装置及び射出装置３０は、第１の動作シーケンスにおいて、図１４に示されるように作動する。まず、図１４（ａ）は、型締装置により可動金型２３に加えられる型締力の時間に対応した変化を示すものであり、横軸は時間を示し、縦軸は型締力の大きさを示している。また、図１４（ｂ）は、可動金型２３の位置の時間に対応した変化を示すものであり、横軸は時間を示し、縦軸は可動金型２３の位置を示している。なお、前記縦軸は可動金型２３が前進するほど、すなわち、固定金型２４に接近するほど数値が小さくなるように示されている。そして、図１４（ｃ）は、射出装置３０のスクリュ３３の位置の時間に対応した変化を示すものであり、横軸は時間を示し、縦軸はスクリュ３３の位置を示している。なお、該縦軸はスクリュ３３が前進するほど、すなわち、射出ノズル３２に接近するほど数値が小さくなるように示されている。また、図１４（ａ）〜（ｃ）において、時間を示す横軸のスケールは共通である。
【００８９】
図１４に示されるように、金型装置が型開された状態において、型閉工程が開始されると、型締装置により加えられる型締力が上昇し、可動金型２３が前進して固定金型２４に接近する。そして、可動金型２３が固定金型２４に所定の距離にまで接近した時点、すなわち、ストリッパプレート１４のパーティング面とキャビティ型板１５のパーティング面との間隔が寸法ｂになった時点で、型締装置の作動が一時停止して、可動金型２３の動きが一時停止する。
【００９０】
この時点において、空圧シリンダ装置７３が作動し、バルブゲートピン３８が空圧シリンダ装置７３の方向に移動させられる、すなわち、後退させられる。これにより、バルブゲートピン３８がゲート孔３９を開放する。そして、それまでスクリュ３３が回転して溶融樹脂４２の計量工程を継続していた射出装置３０において、射出工程が開始され、スクリュ３３が前進させられる。これにより、射出ノズル３２から溶融樹脂４２が射出され、キャビティ３７内への溶融樹脂４２の充填が開始される。
【００９１】
この場合、前記スクリュ３３を前進させる動きは  図示されない制御装置によって制御されるが、射出ノズル３２から射出される溶融樹脂４２又はキャビティ３７内に充填される溶融樹脂４２の圧力が所定値となるようにスクリュ３３の進退を制御する複雑な圧力制御でなく、溶融樹脂４２の圧力とは無関係に前進するスクリュ３３の位置を制御する簡単な位置制御が行われる。これにより、所定量の溶融樹脂４２がキャビティ３７内に充填される。
【００９２】
一方、該溶融樹脂４２の充填が継続されている間に、前記型締装置が作動を再開し、型閉工程が再開される。そして、型閉工程が継続されている間に、溶融樹脂４２の充填が完了する。すなわち、前記キャビティ３７内へ、充填されるべきすべての量の溶融樹脂４２が充填される。すると、空圧シリンダ装置７３が作動し、バルブゲートピン３８が前進して、該バルブゲートピン３８の先端がゲート孔３９に進入して該ゲート孔３９を閉塞する。なお、溶融樹脂４２の充填が完了した後には、前記スクリュ３３はわずかに後退させられる。これにより、樹脂流路２８内に残存する溶融樹脂４２の量が減少するので、キャビティ３７内の溶融樹脂４２の圧力が所定値以上となり、バルブゲートピン３８がゲート孔３９を開放し、溶融樹脂４２がキャビティ３７から樹脂流路２８に漏れ出した場合、漏れ出した溶融樹脂４２は樹脂流路２８内に収容される。
【００９３】
続いて、ストリッパプレート１４のパーティング面とキャビティ型板１５のパーティング面とが接触して型閉工程が完了して、型締装置は型締力を増大させる。そして、前記型閉工程により、キャビティ３７の容積が収縮され、該キャビティ３７内の溶融樹脂４２が加圧され圧縮される。そのため、該溶融樹脂４２はキャビティ３７の全体に行き渡り、キャビティ３７全体に溶融樹脂４２が充填された状態となる。さらに、型閉工程の後の型締工程によっても、キャビティ３７内の溶融樹脂４２が加圧され圧縮される。そのため、該溶融樹脂４２はキャビティ３７の全体に万遍なく行き渡り、キャビティ３７内に溶融樹脂４２が完全に充填された状態となる。この場合、可動金型２３はわずかに前進する。
【００９４】
そして、前記型締装置は増大させた型締力を維持し、高圧型締が行われる。なお、高圧型締において、可動金型２３は前進せず停止している。これにより、溶融樹脂４２は、圧縮力を受けるので、内部における圧力分布が均等になり、樹脂の分子の配向が改善され、樹脂の光学特性が向上し、金型表面の転写性が向上し、ウェルドラインが低減し、樹脂のひけが防止され、残留応力が低減し、変形が防止される。また、キャビティ３７内の溶融樹脂４２の圧力が所定値以上になると、バルブゲートピン３８がゲート孔３９を開放し、溶融樹脂４２がキャビティ３７から樹脂流路２８に漏れ出すようになっているので、金型装置や型締装置が損傷することもない。
【００９５】
ここで、図１５に示されるように、溶融樹脂４２を型閉工程の一時停止中に充填する場合について第２の動作シーケンスで作動する。なお、図１５（ａ）〜（ｃ）は、図１４（ａ）〜（ｃ）と同様に、型締装置により可動金型２３に加えられる型締力の時間に対応した変化、可動金型２３の位置の時間に対応した変化、及び、射出装置３０のスクリュ３３の位置の時間に対応した変化をそれぞれ示している。
【００９６】
第２の動作シーケンスにおいて、型閉工程が開始されてから、可動金型２３の動きが一時停止し、キャビティ３７内への溶融樹脂４２の充填が開始されるまでの動作は、図１４に示される第１の動作シーケンスと同様である。しかし、第２の動作シーケンスにおいては、溶融樹脂４２の充填が完了した時点で、バルブゲートピン３８の先端がゲート孔３９に進入して該ゲート孔３９が閉塞されるとともに、型締装置が作動を再開し、型閉工程が再開されるようになっている。
【００９７】
なお、型閉工程が完了した後の動作は、第１の動作シーケンスの場合と同様であるので、説明を省略する。
【００９８】
ここで、図１６に示されるように、型閉工程中に一時停止を行わないで溶融樹脂４２を充填する場合について第３の動作シーケンスで作動する。なお、図１６（ａ）〜（ｃ）は、図１４（ａ）〜（ｃ）と同様に、型締装置により可動金型２３に加えられる型締力の時間に対応した変化、可動金型２３の位置の時間に対応した変化、及び、射出装置３０のスクリュ３３の位置の時間に対応した変化をそれぞれ示している。
【００９９】
第３の動作シーケンスにおいて、型閉工程が開始されてから型閉工程が完了するまでの間、型閉工程を一時停止させないで行う。そして、型閉工程の間に、溶融樹脂４２の充填を完了させ、溶融樹脂４２の充填が完了すると、バルブケートピン３８の先端がゲート孔３９に進入して該ゲート孔３９が閉塞される。
【０１００】
なお、型閉工程が完了した後の動作は、第１の動作シーケンスの場合と同様であるので、説明を省略する。
【０１０１】
次に、実験結果について説明する。
【０１０２】
図１７は本発明の第１の実施の形態における成形品の形状及び寸法を示す図、図１８は本発明の第１の実施の形態における樹脂の圧縮量と流動長及び成形品高さとの関係を示すグラフである。
【０１０３】
本発明の発明者は、本実施の形態における樹脂成形方法、樹脂成形用金型及び樹脂成形機によって、図１７に示されるような形状及び寸法を有する成形品４５を成形する実験を実施した。ここで、該成形品４５は、円形開口を有する底の深い容器であり、樹脂はＨＤＰＥである。なお、該樹脂は、ＪＩＳ（Ｋ６９２２）に規定されたメルトインデクサーによる計測値としてのＭＦＲが０．０６〔ｇ／１０ｍｉｎ〕の粘度、すなわち、流動特性を有するものである。ここで、実験に使用された金型装置は、前記成形品４５の形状及び寸法に対応する形状のキャビティ３７を有するものであり、最大４０〔トン〕の型締力が加えられる。また、実験においては前記第２の動作シーケンスに従って射出成形機を動作させた。
【０１０４】
そして、前記成形品４５を成形する場合に、樹脂の圧縮量を変化させて成形した実験結果が図１８に示されている。図において横軸は樹脂の圧縮量〔ｍｍ〕であり、縦軸は樹脂の流動長〔ｍｍ〕及び成形された成形品の高さ〔ｍｍ〕である。ここで、圧縮量は、キャビティ３７内への溶融樹脂４２の充填が開始される時点、すなわち、可動金型２３の動きが一時停止している時点におけるストリッパプレート１４のパーティング面とキャビティ型板１５のパーティング面との距離である。また、流動長は、キャビティ３７内を溶融樹脂４２が流動した距離の最大長であり、具体的には、図１に示されるようなキャビティ３７の断面において、ゲート孔３９から最も奥（図１における左側）にまで到達した溶融樹脂４２の先端までの長さ寸法である。さらに、成形品の高さは、成形された成形品４５の高さ寸法である。
【０１０５】
実験においては、前記樹脂の圧縮量を変化させて成形し、その時の樹脂の流動長及び成形された成形品４５の高さ寸法を計測してプロットし、図１８に示されるようなグラフを作成した。該グラフから、圧縮量が小さいと、キャビティ３７内に充填された溶融樹脂４２がキャビティ３７の奥にまで到達せず、成形品４５の高さ寸法が短くなってしまうことが分かる。そして、圧縮量を増加させると、前記溶融樹脂４２がキャビティ３７のより奥にまで到達するようになり、前記圧縮量が８〔ｍｍ〕以上となると、前記溶融樹脂４２がキャビティ３７の最奥部、すなわち、インサートリング１７にまで到達する。また、成形品４５の高さ寸法も、圧縮量を増加させると増加し、前記圧縮量が８〔ｍｍ〕以上となると、所定の高さ、すなわち、４９．５〔ｍｍ〕となることが分かる。なお、前記圧縮量が１０〔ｍｍ〕となった時に成形品４５にバリが発生したことが確認された。
【０１０６】
このことから、圧縮量が少なすぎると、溶融樹脂４２がキャビティ３７の狭隘（あい）部分を通過することができないので、キャビティ３７の最奥部に位置するインサートリング１７にまで到達することができないことが分かる。この場合、図１７から分かるように、成形品４５の側壁部分の肉厚が０．３５〔ｍｍ〕なので、前記キャビティ３７の狭隘部分も０．３５〔ｍｍ〕程度の隙間しかない。そのため、圧縮量が少なすぎると計量分の樹脂が射出されないのと、型閉工程により、キャビティ３７の容積がほとんど収縮されないので、該キャビティ３７内の溶融樹脂４２が十分に加圧され圧縮されることがない。そのため、該溶融樹脂４２はキャビティ３７の奥にまで到達することができなくなる。
【０１０７】
また、圧縮量が多すぎると、溶融樹脂４２がインサートリング１７の突出部とインサートリング収納溝１８との間に進入し、さらに、前記インサートリング１７の外側に位置するストリッパプレート１４のパーティング面とキャビティ型板１５のパーティング面との隙間に進入してしまうことが分かる。なお、前記インサートリング１７の形状を円形としたが、楕（だ）円又は多角形の形状であってもよい。
【０１０８】
このように、図１７に示されるような形状及び寸法を有する成形品４５を成形する場合には、圧縮量が８〜１０〔ｍｍ〕程度、すなわち、成形品４５の側壁部分の肉厚の２２〜２９倍程度が適切であることが分かる。
【０１０９】
なお、成形品４５の側壁部分の肉厚がより小さな値である場合、キャビティ３７において前記側壁部分に対応する狭隘部分の隙間もより狭くなり、溶融樹脂４２が前記狭隘部分を通過するため必要な圧力はより大きくなる。したがって、成形品４５の側壁部分の肉厚が小さな値である場合、圧縮量は成形品４５の側壁部分の肉厚の１００倍程度までの数値が適切である。一方、成形品４５の側壁部分の肉厚が大きな値である場合、キャビティ３７において前記側壁部分に対応する狭隘部分の隙間が広くなり、溶融樹脂４２が前記狭隘部分を通過するため必要な圧力は小さくなる。したがって、成形品４５の側壁部分の肉厚が大きな値である場合、圧縮量は成形品４５の側壁部分の肉厚の３倍程度の数値が適切である。このことから、圧縮量は、成形品４５の肉厚の３〜１００倍程度が適切であることが分かる。
【０１１０】
このように、本実施の形態においては、可動金型２３と固定金型２４のパーティング面が互いに離れた状態でキャビティ３７内に溶融樹脂４２を充填し、その後、型閉及び型締を行うようになっている。
【０１１１】
そのため、型閉によってキャビティ３７の容積が大きく収縮され、該キャビティ３７内の溶融樹脂４２は、大きな圧力を受けるので、粘度が高くても、キャビティ３７において成形品４１、４５の側壁部分に対応する狭隘部分を通過して、キャビティ３７の奥にまで到達する。そして、溶融樹脂４２はキャビティ３７の全体に万遍なく行き渡り、キャビティ３７内に溶融樹脂４２が完全に充填された状態となる。さらに、溶融樹脂４２は、圧縮力を受けるので、内部における圧力分布が均等になり、樹脂の分子の配向が改善され、金型表面の転写性が向上し、樹脂のひけが防止され、残留応力が低減し、変形が防止される。
【０１１２】
したがって、立体的な形状を有し側壁が薄肉化された深底凹状の容器のような形状を有していても、高粘度の樹脂による成形品を短時間に高精度で成形することができる。
【０１１３】
また、成形品におけるゲートからの樹脂の流動長Ｌと成形品の肉厚Ｔとの流動長／肉厚比としてのＬ／Ｔを大きくすることができる。
【０１１４】
従来では、流動長／肉厚比としてのＬ／Ｔは、例えば、ＧＰＰＳ（ポリスチレン）で約２００、ＨＩＰＳ（耐衝撃性ポリスチレン）で約２２０、ＰＰ（ポリプロピレン）で約２４０、ＨＤＰＥ（高密度ポリエチレン）で約１４０、ＬＤＰＥ（低密度ポリエチレン）で約１６０、ＰＥＴ（ポリエチレンテレフタレート）で約１００が限界であった。該限界での成形では、成形された成形品の圧力分布、樹脂の分子の配向、樹脂のひけ等が悪いという問題があった。従来では、一般に流動長／肉厚比としてのＬ／Ｔを、例えば、ＧＰＰＳ（ポリスチレン）で約１００、ＨＩＰＳ（耐衝撃性ポリスチレン）で約１１０、ＰＰ（ポリプロピレン）で約１２０、ＨＤＰＥ（高密度ポリエチレン）で約７０、ＬＤＰＥ（低密度ポリエチレン）で約８０、ＰＥＴ（ポリエチレンテレフタレート）で約５０までの範囲で成形していた。
【０１１５】
本実施の形態においては、流動長／肉厚比としてのＬ／Ｔが、例えば、ＧＰＰＳ（ポリスチレン）で１００〜４００、ＨＩＰＳ（耐衝撃性ポリスチレン）で１１０〜４００、ＰＰ（ポリプロピレン）で１２０〜４００、ＨＤＰＥ（高密度ポリエチレン）で７０〜３００、ＬＤＰＥ（低密度ポリエチレン）で８０〜３００、ＰＥＴ（ポリエチレンテレフタレート）で５０〜２５０であっても、成形された成形品の圧力分布、樹脂の分子の配向、樹脂のひけ等が問題なく成形することができる。特に、従来の成形方法では成形することができなかった流動長／肉厚比としてのＬ／Ｔが、例えば、ＧＰＰＳ（ポリスチレン）で２００〜４００、ＨＩＰＳ（耐衝撃性ポリスチレン）で２２０〜４００、ＰＰ（ポリプロピレン）で２４０〜４００、ＨＤＰＥ（高密度ポリエチレン）で１４０〜３００、ＬＤＰＥ（低密度ポリエチレン）で１６０〜３００、ＰＥＴ（ポリエチレンテレフタレート）で１００〜２５０であっても成形することができる。
【０１１６】
次に、本発明の第２の実施の形態について説明する。なお、前記第１の実施の形態と同じ構成を有するもの及び同じ動作については、その説明を省略する。
【０１１７】
図１９は本発明の第２の実施の形態におけるラベルの斜視図、図２０は本発明の第２の実施の形態における金型装置の断面図であり型開された状態を示す図である。
【０１１８】
本実施の形態においては、図１９に示されるようなラベル４６、４７を前記成形品４１の成形と同時に貼（てん）着するインモールドラベリング（ｉｎ−ｍｏｌｄ−ｌａｂｅｌｉｎｇ）を行う。この場合、前記ラベル４６、４７には文字、模様等があらかじめ印刷され、ラベル４６は成形品４１の側壁と同様の曲面を有し、ラベル４７は成形品４１の底面と同様の形状を有するが、射出ノズル３２から射出された溶融樹脂４２が通過する孔が形成されている。なお、前記ラベル４６、４７は、いずれか一方だけを使用してもよいが、ここでは、両方使用した場合について説明する。
【０１１９】
そして、成形を開始する前に、図２０に示されるように、型開された状態の金型装置内に前記ラベル４６、４７を配設する。この場合、ラベル４６はキャビティ型板１５の内面に配設され、ラベル４７はゲートブロック１６の金型コア１２との対向面に配設される。
【０１２０】
本実施の形態においては、キャビティ型板１５及びゲートブロック１６の内部には、一端がキャビティ型板１５の内面及びゲートブロック１６の金型コア１２との対向面に連通し、他端がキャビティ型板１５の外壁に連通するラベル吸引用流路４８が形成されている。該ラベル吸引用流路４８の前記他端は、真空ポンプ等の図示されない吸引装置に接続され、ラベル吸引用流路４８の一端から空気を吸引するようになっている。これにより、図２０に示されるように、ラベル４６はキャビティ型板１５の内面に吸引されて付着し、ラベル４７はゲートブロック１６の金型コア１２との対向面に吸引されて付着する。なお、前記ラベル吸引用流路４８は前記第１の実施の形態において説明したエジェクト用流路３５と兼用することもできる。
【０１２１】
続いて、前記第１の実施の形態において説明したように、型閉、溶融樹脂４２の充填、型締等が行われ、成形品４１が成形される。これにより、ラベル４６及びラベル４７が一体的に貼着された図示されない成形品４１を成形することができる。
【０１２２】
次に、本発明の第３の実施の形態について説明する。なお、前記第１の実施の形態と同じ構成を有するもの及び同じ動作については、その説明を省略する。
【０１２３】
図２１は本発明の第３の実施の形態における金型装置の断面図であり溶融樹脂が充填される状態を示す図である。
【０１２４】
本実施の形態においては、可動金型２３のストリッパプレート１４のパーティング面にインサートリング１７の基部が、ボルト、皿ねじ等の固定手段によって着脱自在に固定されている。そして、前記インサートリング１７の突出部はキャビティ型板１５のパーティング面に向かって突出している。なお、前記ストリッパプレート１４のパーティング面には、図に示されるように、溝が形成され、該溝に前記インサートリング１７の基部が収納されるようになっていることが望ましい。
【０１２５】
また、前記キャビティ型板１５のパーティング面には、リング状の凹溝であるインサートリング収納溝１８が形成され、図に示されるように、該インサートリング収納溝１８に前記インサートリング１７の突出部が嵌合するようになっている。そして、前記インサートリング１７及びインサートリング収納溝１８は、前記可動金型２３及び固定金型２４のパーティング面に形成された凹凸と同様に、キャビティ３７内に充填された溶融樹脂４２が前記パーティング面の隙間から漏れ出してバリが発生してしまうことを防止するとともに、インサートリング１７の内周面で成形品の前記鍔の端面を規制する役目も有する。
【０１２６】
次に、本発明の第４の実施の形態について説明する。なお、前記第１〜第３の実施の形態と同じ構成を有するもの及び同じ動作については、その説明を省略する。
【０１２７】
図２２は本発明の第４の実施の形態における金型装置の断面図であり溶融樹脂が充填される状態を示す図である。
【０１２８】
本実施の形態においては、固定金型２４のキャビティ型板１５のパーティング面にリング状の突出部１７ａが一体的に形成されている。そして、前記リング状の突出部１７ａはストリッパプレート１４のパーティング面に向かって突出している。
【０１２９】
また、前記ストリッパプレート１４のパーティング面には、リング状の凹溝であるリング収納溝１８が形成され、図に示されるように、該リング収納溝１８に前記リング状の突出部１７ａが嵌合するようになっている。そして、前記リング状の突出部１７ａ及びリング収納溝１８は、前記可動金型２３及び固定金型２４のパーティング面に形成された凹凸と同様に、キャビティ３７内に充填された溶融樹脂４２が前記パーティング面の隙間から漏れ出してバリが発生してしまうことを防止するとともに、リング状の突出部１７ａの内周面で成形品の前記鍔の端面を規制する役目も有する。
【０１３０】
次に、本発明の第５の実施の形態について説明する。なお、前記第１〜第４の実施の形態と同じ構成を有するもの及び同じ動作については、その説明を省略する。
【０１３１】
図２３は本発明の第５の実施の形態における金型装置の断面図であり溶融樹脂が充填される状態を示す図である。
【０１３２】
本実施の形態においては、固定金型２４のキャビティ型板１５のパーティング面における外縁部に凸部１７ｂが一体的に形成されている。そして、該凸部１７ｂはストリッパプレート１４のパーティング面に向かって突出している。
【０１３３】
また、該ストリッパプレート１４のパーティング面における外縁部には、凹部１８ａが形成され、図に示されるように、該凹部１８ａに前記凸部１７ｂが嵌合するようになっている。そして、前記凸部１７ｂ及び凹部１８ａは、インロウ結合するので、キャビティ３７内に充填された溶融樹脂４２が前記パーティング面の隙間から漏れ出してバリが発生してしまうことを防止するとともに、凸部１７ｂの内周面で成形品の前記鍔の端面を規制する役目も有する。
【０１３４】
次に、本発明の第６の実施の形態について説明する。なお、前記第１〜第５の実施の形態と同じ構成を有するもの及び同じ動作については、その説明を省略する。
【０１３５】
図２４は本発明の第６の実施の形態における金型装置の断面図であり溶融樹脂が充填される状態を示す図である。
【０１３６】
本実施の形態においては、図１９に示されるようなラベル４６、４７を前記成形品４１の成形と同時に貼（てん）着するインモールドラベリング（ｉｎ−ｍｏｌｄ−ｌａｂｅｌｉｎｇ）を行う。この場合、前記ラベル４６、４７には文字、模様等があらかじめ印刷され、ラベル４６は成形品４１の側壁と同様の曲面を有し、ラベル４７は成形品４１の底面と同様の形状を有するが、射出ノズル３２から射出された溶融樹脂４２が通過する孔が形成されている。なお、前記ラベル４６、４７は、いずれか一方だけを使用してもよいが、ここでは、両方使用した場合について説明する。
【０１３７】
そして、成形を開始する前に、図２４に示されるように、型開された状態の金型装置内に前記ラベル４６、４７を配設する。この場合、ラベル４６はキャビティ型板１５の内面に配設され、ラベル４７はゲートブロック１６の金型コア１２との対向面に配設される。
【０１３８】
本実施の形態においては、コア押板１３とストリッパプレート１４との間にばね８１が配設され、前記コア押板１３とストリッパプレート１４との間隔を押し広げるようになっている。そして、前記ばね８１の付勢力によって、ストリッパプレート１４が固定金型２４の方向に移動させられるので、型閉行程の比較的早い段階において、図２４に示されるように、前記ストリッパプレート１４のパーティング面がキャビティ型板１５のパーティング面に接近する。これにより、キャビティ３７内に装填されたラベル４６は、ストリッパプレート１４によってゲートブロック１６方向に押されるので、キャビティ型板１５の内面に吸引されて付着する。
【０１３９】
なお、キャビティ型板１５及びゲートブロック１６の内部には、一端がキャビティ型板１５の内面及びゲートブロック１６の金型コア１２との対向面に連通し他端がキャビティ型板１５の外壁に連通するラベル吸引用流路が形成されていてもよい。この場合、該ラベル吸引用流路の他端は、真空ポンプ等の吸引装置に接続され、ラベル吸引用流路の一端から空気を吸引する。この場合、ラベル４６はキャビティ型板１５の内面に吸引されて付着し、ラベル４７はゲートブロック１６の金型コア１２との対向面に吸引されて付着する
続いて、前記第２の実施の形態において説明したように、型閉、溶融樹脂４２の充填、型締等が行われ、成形品４１が成形される。これにより、ラベル４６及びラベル４７が側壁及び底面に一体的に貼着された図示されない成形品４１を成形することができる。
【０１４０】
次に、本発明の第７の実施の形態について説明する。なお、前記第１〜第６の実施の形態と同じ構成を有するもの及び同じ動作については、その説明を省略する。
【０１４１】
図２５は本発明の第７の実施の形態における金型装置の断面図であり型閉された状態を示す図、図２６は本発明の第７の実施の形態における金型装置の断面図であり型開された状態を示す図である。
【０１４２】
本実施の形態においては、固定プラテン２２の金型取付面側にシリンダ装置８２が配設され、キャビティ型板１５を可動金型２３の方向に移動させることができるようになっている。ここで、前記シリンダ装置８２は、加圧空気又は加圧油によって作動させるものであり、固定プラテン２２の金型取付面側に取り付けられたシリンダユニット８２ｃ、該シリンダユニット８２ｃ内に配設されたピストン８２ａ、基部が該ピストン８２ａに固定され、先端がキャビティ型板１５に固定されたピストンロッド８２ｂを備える。そして、前記シリンダ装置８２が作動していない場合、図２５に示されるように、キャビティ型板１５、ゲートブロック１６及び固定プラテン２２は互いに密着した状態になっている。
【０１４３】
ここで、前記キャビティ型板１５及びゲートブロック１６におけるキャビティ３７を構成する面の互いに対向する位置には、アンダーカットとしての凹部１５ａ及び凹部１６ａが、それぞれ、形成されている。そのため、成形品４１には、図２１に示されるように、金型装置の開閉方向に対して垂直な方向に突出するアンダーカットとしての凸部４１ａが形成される。
【０１４４】
そして、図２５に示されるように型閉され、続いて型締されて、溶融樹脂４２がある程度冷却されて固化し、成形品４１が形成されると型開が行われる。この場合、前記シリンダ装置８２が作動し、図２６に示されるように、キャビティ型板１５が可動金型２３の方向に移動させられる。そのため、前記キャビティ型板１５及びゲートブロック１６におけるキャビティ３７を構成する面の凹部１５ａ及び凹部１６ａの位置が、金型装置の開閉方向に関してずれるので、成形品４１の凸部４１ａは、成形品４１自体が弾性変形することによって、前記凹部１５ａ及び凹部１６ａに嵌まり込んだ状態から、滑らかに外れることができる。
【０１４５】
このように、本実施の形態においては、キャビティ型板１５を金型装置の開閉方向に移動させることができるので、キャビティ型板１５及びゲートブロック１６におけるキャビティ３７を構成する面にアンダーカットが形成されている場合であっても、成形品４１に損傷を与えることなく、型開を行って成形品４１を取り出すことができる。
【０１４６】
次に、本発明の第８の実施の形態について説明する。なお、前記第１〜第７の実施の形態と同じ構成を有するもの及び同じ動作については、その説明を省略する。
【０１４７】
図２７は本発明の第８の実施の形態における金型装置の断面図であり溶融樹脂が充填される状態を示す図である。
【０１４８】
本実施の形態において、１２’は図示されない固定プラテンの金型取付面に取り付けられた固定金型２４の金型コア、１３’は該金型コア１２’を取り付けるためのコア押板、及び、１４’は該コア押板１３’に取り付けられたストリッパプレートである。また、１５’は図示されない可動プラテンの金型取付面に取り付けられた固定金型２４のキャビティ型板であり、１６’は該キャビティ型板１５’の内部に嵌め込まれたゲートブロックである。そして、図に示されるように、型閉した状態において、前記金型コア１２’及びストリッパプレート１４’と、キャビティ型板１５’及びゲートブロック１６’との間に成形品の形状を有するキャビティ３７’が形成される。また、金型コア１２’には、加熱装置８４を備えるホットランナ８３が配設されるランナ孔１２ａが形成される。ここで、前記加熱装置８４は、例えば、電気式ヒータから成り、樹脂流路２８を流通する溶融樹脂４２を加熱する。
【０１４９】
そして、型閉行程においては、図示されない射出ノズルから射出された溶融樹脂４２が、樹脂流路２８を通って型閉行程途中の状態における金型コア１２’とゲートブロック１６’との間のキャビティ３７’内に充填される。そして、所定量の溶融樹脂４２がキャビティ３７’内に充填されると、バルブゲートピン３８が前進して、図２７に示されるように、バルブゲートピン３８の先端がゲート孔３９に進入して該ゲート孔３９を閉塞する。
【０１５０】
この場合、金型装置の開閉方向に対してほぼ垂直な底部のすべてには溶融樹脂４２が充填されるが、金型装置の開閉方向に対して傾斜する側壁部のゲート孔３９から離れた部分には溶融樹脂４２が充填されていない。すなわち、所定量の溶融樹脂４２の充填完了時に、前記側壁部の少なくとも一部には溶融樹脂４２が充填されていないようになっている。
【０１５１】
図２７に示されるように、本実施の形態において、前記キャビティ３７’は、前記底部が可動プラテン寄り（図における左方）に位置し、側壁部のゲート孔３９から離れた部分は前記底部よりも固定プラテン寄り（図における右方）に位置している。そのため、前記ゲート孔３９は成形品である容器の底部における内側の面に対応する位置となる。これにより、前記容器の底部における外側の面は、ゲート孔３９の痕（こん）跡が残ることがなく、滑らかな面となるので、印刷等の方法によって模様のような装飾を施すことができる。
【０１５２】
次に、本発明の第９の実施の形態について説明する。なお、前記第１〜第８の実施の形態と同じ構成を有するもの及び同じ動作については、その説明を省略する。
【０１５３】
図２８は本発明の第９の実施の形態における金型装置の断面図であり溶融樹脂が充填される状態を示す図である。
【０１５４】
本実施の形態においては、可動金型２３の金型コア１２における固定金型２４のゲートブロック１６と対向する面には、凸部１２ｂが一体的に形成され、該凸部１２ｂは前記ゲートブロック１６に向かって突出している。また、前記ゲートブロック１６における金型コア１２と対向する面には、凹部１６ｂが形成され、該凹部１６ｂに前記凸部１２ｂが嵌合するようになっている。なお、前記凸部１２ｂ及び凹部１６ｂの数は、単数であっても複数であってもよい。
【０１５５】
これにより、成形品である容器の底部には、前記凸部１２ｂに対応する位置に貫通孔が形成される。そのため、本実施の形態は、植木鉢のように、底部に貫通孔を備える容器の成形に適している。
【０１５６】
なお、前記の実施の形態においては、型締装置を油圧式で説明したが電動の型締装置の方が望ましい。また、可動プラテンが横方向（水平方向）に移動する横置型の射出成形機について説明したが、本発明の樹脂成形方法、樹脂成形用金型及び樹脂成形機は、可動プラテンが縦方向（垂直方向）に移動する縦置型の射出成形機にも適用することができる。さらに、本発明の樹脂成形方法、樹脂成形用金型及び樹脂成形機は、射出成形機の他に、ダイキャストマシーン、ＩＪ封止プレス等の成形機にも適用することができる。
【０１５７】
また、本発明は前記実施の形態に限定されるものではなく、本発明の趣旨に基づいて種々変形させることが可能であり、それらを本発明の範囲から排除するものではない。
【０１５８】
例えば、本発明は、可動金型のパーティング面と固定金型のパーティング面とが互いに離れた状態でキャビティ内に高粘度の樹脂を充填し、成形品の肉厚の３〜１００倍に等しい圧縮量だけ前記可動金型を前進させ、該可動金型のパーティング面を前記固定金型のパーティング面に押し付けて前記成形品を成形することを特徴とする樹脂成形方法を含むものである。
【０１５９】
また、前記成形品の肉厚が１．５〜３．０〔ｍｍ〕の場合、前記圧縮量を３〜１０倍とし、前記成形品の肉厚が０．２〜１．５〔ｍｍ〕の場合、前記圧縮量を１０〜１００倍とする前記樹脂成形方法を含むものである。
【０１６０】
また、前記成形品は、側壁が薄肉化された深底凹状の容器形状を有する前記樹脂成形方法を含むものである。
【０１６１】
また、前記樹脂は、熱可塑性樹脂の中で溶融粘度が３６００ポアズ以上、又は、メルトインデックスが３０以下、又は、数平均分子量が２４０００以上の樹脂である前記樹脂成形方法を含むものである。
【０１６２】
また、前記圧縮量は、前記側壁の肉厚及び前記樹脂の粘度に基づいて決定される前記樹脂成形方法を含むものである。
【０１６３】
また、前記可動金型を前進させる際に、前記固定金型に形成されたゲート孔をゲートピンで塞ぐ前記樹脂成形方法を含むものである。
【０１６４】
【発明の効果】
以上詳細に説明したように、本発明によれば、樹脂成形方法においては、金型装置の型閉工程終了前に前記金型装置のキャビティ内への樹脂の充填を開始し、前記型閉工程終了前に前記所定量の樹脂の充填を完了し、前記型閉工程終了後に前記金型装置の型締工程を行い成形品を成形する。
【０１６５】
この場合、型閉によってキャビティの容積が大きく収縮され、該キャビティ内の樹脂は、大きな圧力を受けるので、粘度が高くても、キャビティの奥にまで到達する。そして、樹脂はキャビティの全体に万遍なく行き渡り、キャビティ内に樹脂が完全に充填された状態となる。また、樹脂は、圧縮力を受けるので、内部における圧力分布が均等になり、樹脂の分子の配向が改善され、金型表面の転写性が向上し、樹脂のひけが防止され、残留応力が低減し、変形が防止される。
【０１６６】
したがって、立体的な形状を有し側壁が薄肉化された深底凹状の容器のような形状を有する成形品であっても、高粘度の樹脂による成形品を短時間に高精度で成形することができる。
【０１６７】
さらに、型閉工程終了前に所定量の樹脂の充填を完了するので、樹脂の充填圧を制御する必要がない。そのため、樹脂の充填圧とは無関係に射出装置のスクリュ位置を制御することができ、射出装置の制御が容易になる。
【０１６８】
他の樹脂成形方法においては、さらに、前記金型装置はゲートピンによって閉塞されるゲート孔を備え、前記ゲートピンは前記樹脂の充填完了後に前記ゲート孔を閉塞する。
【０１６９】
この場合、型閉によってキャビティ内の樹脂に圧力を加えても、圧力が大きくなる型閉工程終了時にはゲートピンによってゲート孔が閉塞されているので、樹脂が射出装置の方へ逆流することがない。
【０１７０】
更に他の樹脂成形方法においては、さらに、前記ゲートピンは、前記型締工程時に前記ゲート孔を閉塞している。
【０１７１】
この場合、型締によってキャビティ内の樹脂に大きな圧力を加えても、ゲートピンによってゲート孔が閉塞されているので、樹脂が射出装置の方へ逆流することがない。
【０１７２】
更に他の樹脂成形方法においては、さらに、前記ゲートピンは、前記ゲート孔を閉塞している時であっても、前記キャビティ内の樹脂の圧力が所定値以上になると前記ゲート孔を開放する。
【０１７３】
この場合、金型装置や型締装置が損傷することがない。
【０１７４】
更に他の樹脂成形方法においては、さらに、前記スクリュを前進させて前記所定量の樹脂を充填し、該所定量の樹脂の充填完了後に前記スクリュを後退させる。
【０１７５】
この場合、樹脂流路内に残存する樹脂の量が減少するので、キャビティ内の樹脂の圧力が所定値以上となり、ゲートピンがゲート孔を開放し、樹脂がキャビティから樹脂流路に漏れ出しても、漏れ出した樹脂は樹脂流路内に収容される。
【０１７６】
更に他の樹脂成形方法においては、さらに、前記所定量は、前記キャビティの型閉状態における容積の１００〜１５０〔％〕に相当する。
【０１７７】
この場合、樹脂はキャビティの全体に万遍なく行き渡り、キャビティ内に樹脂が完全に充填された状態となる。
【０１７８】
更に他の樹脂成形方法においては、さらに、前記キャビティは、型閉状態において、前記金型装置の開閉方向に対してほぼ垂直な底部及び前記開閉方向に対して傾斜する薄肉化された側壁部を備える。
【０１７９】
この場合、側壁部が金型装置の開閉方向に対して傾斜しているので、くさび効果が発生して、樹脂がキャビティの全体に万遍なく行き渡る。
【０１８０】
更に他の樹脂成形方法においては、さらに、前記所定量の樹脂の充填完了時に、前記側壁部の少なくとも一部には前記樹脂が充填されていない。
【０１８１】
この場合、キャビティ内に充填された樹脂が金型装置のパーティング面の隙間から漏れ出すことがないので、バリが発生してしまうことがない。
【０１８２】
樹脂成形用金型においては、パーティング面を備える固定金型と、該固定金型のパーティング面に押し付けられて密着するパーティング面を備え、前記固定金型に対して前進する可動金型と、前記パーティング面の一方に固定される基部及び突出部を備えるインサートリングと、前記パーティング面の他方に形成され、前記インサートリングの突出部を収納するリング状の凹溝とを有する。
【０１８３】
この場合、キャビティ内に充填された溶融樹脂が前記パーティング面の隙間から漏れ出すことがないので、バリが発生してしまうことがない。
【０１８４】
他の樹脂成形用金型においては、さらに、前記インサートリングは、前記固定金型及び可動金型の材質よりも軟質の材質から成る。
【０１８５】
この場合、前記固定金型及び可動金型は摩耗せず、専らインサートリングが摩耗することとなるが、該インサートリングは、容易に交換することができる。
【０１８６】
他の樹脂成形用金型においては、さらに、前記金型に形成されたゲート孔を閉塞するゲートピンを有する。
【０１８７】
この場合、型締によってキャビティ内の樹脂に大きな圧力を加えても、ゲートピンによってゲート孔が閉塞されているので、樹脂が射出装置の方へ逆流することがない。
【０１８８】
樹脂成形品においては、前記樹脂成形方法により成形された。
【０１８９】
この場合、内部における圧力分布が均等で、樹脂の分子の配向が良好で、金型表面が良好に転写され、樹脂のひけがなく、残留応力が低く、変形していない樹脂成形品を得ることができる。
【０１９０】
他の樹脂成形品においては、射出成形機により成形された薄肉化された凹状の容器であり、肉厚が０．２〜０．３〔ｍｍ〕である。
【０１９１】
この場合、薄肉化された高精度の容器を短時間で得ることができる。
【０１９２】
更に他の樹脂成形品においては、凹状の容器である樹脂成形品であって、前記容器のＬ／Ｔ（Ｌ：成形品におけるゲートからの樹脂の流動長、Ｔ：成形品の肉厚）は、樹脂がポリスチレンである場合１００〜４００、樹脂が耐衝撃性ポリスチレンである場合１１０〜４００、樹脂がポリプロピレンである場合１２０〜４００、樹脂が高密度ポリエチレンである場合７０〜３００、樹脂が低密度ポリエチレンである場合８０〜３００、樹脂がポリエチレンテレフタレートである場合５０〜２５０である。
【０１９３】
この場合、立体的な形状を有し、薄肉化された高精度の容器を得ることができる。
【０１９４】
樹脂成形方法においては、金型装置の型閉工程終了前に、型閉状態において、前記金型装置の開閉方向に対してほぼ垂直な底部及び前記開閉方向に対して傾斜する薄肉化された側壁部を備えるキャビティ内への樹脂の充填を開始し、前記型閉工程終了前に、前記側壁部の少なくとも一部には前記樹脂が充填されていない状態で、前記キャビティ内への所定量の樹脂の充填を完了し、前記型閉工程終了後に、前記金型装置の型締工程を行い成形品を成形する。
【０１９５】
この場合、型閉によってキャビティの容積が大きく収縮され、該キャビティ内の樹脂は、大きな圧力を受けるので、粘度が高くても、キャビティの奥にまで到達する。そして、側壁部が金型装置の開閉方向に対して傾斜しているので、くさび効果が発生して、樹脂がキャビティの全体に万遍なく行き渡り、キャビティ内に樹脂が完全に充填された状態となる。また、樹脂は、圧縮力を受けるので、内部における圧力分布が均等になり、樹脂の分子の配向が改善され、金型表面の転写性が向上し、樹脂のひけが防止され、成形品の残留応力が低減し、変形が防止される。
【０１９６】
したがって、立体的な形状を有し側壁が薄肉化された深底凹状の容器のような形状を有する成形品であっても、高粘度の樹脂による成形品を短時間に高精度で成形することができる。
【０１９７】
さらに、型閉工程終了前に所定量の樹脂の充填を完了するので、樹脂の充填圧を制御する必要がない。そのため、樹脂の充填圧に無関係に射出装置のスクリュ位置を制御することができ、射出装置の制御が容易になる。
【０１９８】
他の樹脂成形方法においては、さらに、前記金型装置はゲートピンによって閉塞されるゲート孔を備え、前記ゲートピンは前記樹脂の充填完了後に前記ゲート孔の閉塞を開始し、前記型締工程時に前記ゲート孔を閉塞する。
【０１９９】
この場合、型閉によってキャビティ内の樹脂に圧力を加えても、圧力が大きくなる型閉工程終了時にはゲートピンによってゲート孔の閉塞が開始され、型締工程時には閉塞されているので、樹脂が射出装置の方へ逆流することがない。
【０２００】
更に他の樹脂成形方法においては、さらに、前記ゲートピンは、前記ゲート孔を閉塞している時であっても、前記キャビティ内の樹脂の圧力が所定値以上になると前記ゲート孔を開放する。
【０２０１】
この場合、金型装置や型締装置が損傷することがない。
【０２０２】
更に他の樹脂成形方法においては、さらに、前記キャビティ内にラベルを装填して、インモールドラベル成形を行う。
【０２０３】
この場合、ラベルが一体的に貼着された成形品を容易に成形することができる。
【０２０４】
樹脂成形用金型においては、パーティング面を備える固定金型と、該固定金型のパーティング面に押し付けられて密着するパーティング面を備え、前記固定金型との間に、型閉状態において、開閉方向に対してほぼ垂直な底部及び前記開閉方向に対して傾斜する薄肉化された側壁部を備えるキャビティを形成する可動金型と、前記パーティング面の一方に配設されるリング状の突出部と、前記パーティング面の他方に形成され、前記リング状の突出部を収納するリング状の凹溝とを有する。
【０２０５】
この場合、キャビティ内に充填された溶融樹脂が前記パーティング面の隙間から漏れ出すことがないので、バリが発生してしまうことがない。また、側壁部が金型装置の開閉方向に対して傾斜しているので、くさび効果が発生して、樹脂がキャビティの全体に万遍なく行き渡り、キャビティ内に樹脂が完全に充填された状態となる。
【０２０６】
他の樹脂成形用金型においては、さらに、前記突出部は、前記パーティング面と一体的に形成される。
【０２０７】
この場合、固定金型又は可動金型の組み立てを容易に行うことができる。
【０２０８】
更に他の樹脂成形用金型においては、さらに、前記突出部は、前記パーティング面に着脱自在に取り付けられる。
【０２０９】
この場合、摩滅したインサートリングを容易に交換することができる。
【０２１０】
更に他の樹脂成形用金型においては、さらに、前記底部にはゲート孔が形成され、前記側壁部の前記底部と反対側の端部には前記パーティング面が連接する。
【０２１１】
この場合、くさび効果が発生して、樹脂が側壁部を滑らかに通過するので、側壁が薄肉化された深底凹状の容器のような形状を有する成形品であっても、樹脂による成形品を短時間で高精度で成形することができる。また、溶融樹脂が前記パーティング面の隙間から漏れ出すことがないので、バリが発生してしまうことがない。
【図面の簡単な説明】
【図１】本発明の第１の実施の形態における金型装置の構成を示す断面図である。
【図２】従来の成形方法において溶融樹脂をキャビティ内に充填する状態を示す図である。
【図３】従来の成形方法においてキャビティ内の樹脂を加圧し圧縮する状態を示す図である。
【図４】本発明の第１の実施の形態における射出成形機の構成を示す概略図である。
【図５】本発明の第１の実施の形態における成形品の斜視図である。
【図６】本発明の第１の実施の形態における成形品の断面図である。
【図７】本発明の第１の実施の形態における金型装置の断面図であり型開された状態を示す第１の図である。
【図８】本発明の第１の実施の形態における金型装置の断面図であり溶融樹脂が充填される状態を示す図である。
【図９】本発明の第１の実施の形態における金型装置の断面図であり型閉された状態を示す図である。
【図１０】本発明の第１の実施の形態における金型装置の型閉工程の動作を示す図である。
【図１１】本発明の第１の実施の形態における金型装置の断面図であり型開された状態を示す第２の図である。
【図１２】本発明の第１の実施の形態における金型装置の断面図であり成形品を取り出す状態を示す第１の図である。
【図１３】本発明の第１の実施の形態における金型装置の断面図であり成形品を取り出す状態を示す第２の図である。
【図１４】本発明の第１の実施の形態における成形機の第１の動作シーケンスを示す図である。
【図１５】本発明の第１の実施の形態における成形機の第２の動作シーケンスを示す図である。
【図１６】本発明の第１の実施の形態における成形機の第３の動作シーケンスを示す図である。
【図１７】本発明の第１の実施の形態における成形品の形状及び寸法を示す図である。
【図１８】本発明の第１の実施の形態における樹脂の圧縮量と流動長及び成形品高さとの関係を示すグラフである。
【図１９】本発明の第２の実施の形態におけるラベルの斜視図である。
【図２０】本発明の第２の実施の形態における金型装置の断面図であり型開された状態を示す図である。
【図２１】本発明の第３の実施の形態における金型装置の断面図であり溶融樹脂が充填される状態を示す図である。
【図２２】本発明の第４の実施の形態における金型装置の断面図であり溶融樹脂が充填される状態を示す図である。
【図２３】本発明の第５の実施の形態における金型装置の断面図であり溶融樹脂が充填される状態を示す図である。
【図２４】本発明の第６の実施の形態における金型装置の断面図であり溶融樹脂が充填される状態を示す図である。
【図２５】本発明の第７の実施の形態における金型装置の断面図であり型閉された状態を示す図である。
【図２６】本発明の第７の実施の形態における金型装置の断面図であり型開された状態を示す図である。
【図２７】本発明の第８の実施の形態における金型装置の断面図であり溶融樹脂が充填される状態を示す図である。
【図２８】本発明の第９の実施の形態における金型装置の断面図であり溶融樹脂が充填される状態を示す図である。
【符号の説明】
１７    インサートリング
１８    インサートリング収納溝
２３    可動金型
２４    固定金型
３０    射出装置
３３    スクリュ
３７    キャビティ
３８    バルブゲートピン
３９    ゲート孔
４１、４５    成形品
４２    溶融樹脂
【図１】
2004174714.tif 000003
【図２】
2004174714.tif 000004
【図３】
2004174714.tif 000005
【図４】
2004174714.tif 000006
【図５】
2004174714.tif 000007
【図６】
2004174714.tif 000008
【図７】
2004174714.tif 000009
【図８】
2004174714.tif 000010
【図９】
2004174714.tif 000011
【図１０】
2004174714.tif 000012
【図１１】
2004174714.tif 000013
【図１２】
2004174714.tif 000014
【図１３】
2004174714.tif 000015
【図１４】
2004174714.tif 000016
【図１５】
2004174714.tif 000017
【図１６】
2004174714.tif 000018
【図１７】
2004174714.tif 000019
【図１８】
2004174714.tif 000020
【図１９】
2004174714.tif 000021
【図２０】
2004174714.tif 000022
【図２１】
2004174714.tif 000023
【図２２】
2004174714.tif 000024
【図２３】
2004174714.tif 000025
【図２４】
2004174714.tif 000026
【図２５】
2004174714.tif 000027
【図２６】
2004174714.tif 000028
【図２７】
2004174714.tif 000029
【図２８】
2004174714.tif 000030